(57)【要約】【課題】  両フランジを締結する締結具の構成部品を分離しないで換気ファンの取り外しを行える換気ファン付き変圧器を得る。【解決手段】  変圧器箱の上部に換気ファンを取り付ける。変圧器箱の上部に対する換気ファンの取り付けは、変圧器箱の上部に箱側フランジ９を設け、この箱側フランジ９の上に配置する換気ファンはその下部にファン側フランジ１０を設け、両フランジ９，１０を重ねて複数箇所の締結位置で締結具１１で締結する。締結具１１は、両フランジ９，１０を締結していない状態でもその構成部品を組み合わせて一体化している。この一体化した締結具１１を、変圧器箱に連結具１２で締結位置と非締結位置とに移動可能に支持させる。【選択図】    図４
2005093534.tif 000002
【特許請求の範囲】
【請求項１】
変圧器箱の上部に換気ファンが取り付けられ、前記変圧器箱の上部に対する前記換気ファンの取り付けは、前記変圧器箱の上部に箱側フランジが設けられ、この箱側フランジの上に配置する換気ファンはその下部にファン側フランジが設けられ、前記両フランジが重ねられて複数箇所で締結具で締結されている換気ファン付き変圧器において、
前記締結具は前記両フランジを締結していない状態でもその構成部品が組み合わされて一体化されていて、この一体化された前記締結具が前記変圧器箱に連結具で締結位置と非締結位置とに移動可能に支持されていることを特徴とする換気ファン付き変圧器。  
【請求項２】
前記締結具は、基端が前記変圧器箱に連結具で締結位置と非締結位置とに移動可能に支持されていて締結位置で前記両フランジの外周に開口しているボルト挿入溝に挿入されるボルトと、前記ボルトに螺合されて締結位置で前記両フランジを締結するナットとを備えて構成されて一体化されていることを特徴とする請求項１に記載の換気ファン付き変圧器。
【請求項３】
前記締結具は、基端が前記変圧器箱に連結具で締結位置と非締結位置とに移動可能に支持されていて締結位置で前記両フランジに嵌るＣ形金具と、前記Ｃ形金具の少なくとも一端に螺合されていて締結位置で前記両フランジを締結するボルトとを備えて構成されて一体化されていることを特徴とする請求項１に記載の換気ファン付き変圧器。
【請求項４】
前記各締結具は、前記変圧器箱に設けられている高圧端子の位置から離した位置に設けられていることを特徴とする請求項１〜３のいずれか１項に記載の換気ファン付き変圧器。
【発明の詳細な説明】
【技術分野】
【０００１】
本発明は、変圧器箱の上部に換気ファンが取り付けられている換気ファン付き変圧器に関するものである。
【背景技術】
【０００２】
従来のこの種の換気ファン付き変圧器は、変圧器箱の上部に換気ファンが取り付けられた構造であった。換気ファンは、メンテナンスや寿命等による故障時に交換する必要がある。このため変圧器箱の上部に配置する換気ファンの取り付けは、変圧器箱の上部に箱側フランジを設け、この箱側フランジの上に配置する換気ファンはその下部にファン側フランジを設け、両フランジを重ね、これらフランジの複数箇所のボルト通し孔にボルトをそれぞれ通し、これらのボルトに螺合した各ナットを締結することにより行っていた（例えば、特許文献１参照。）。
【特許文献１】特開平９−１８２２２２号公報
【発明の開示】
【発明が解決しようとする課題】
【０００３】
しかしながら、このような換気ファン付き変圧器では、換気ファンの取り外し時には、各ボルトに螺合したナットを外して換気ファンの取り外しを行っていたので、この取り外し作業時に、或いは取り付け作業時に、ボルトやナットを落下させ易く、またこれらボルトやナットを紛失させ易い問題点があった。
【０００４】
また、換気ファンの取り外し作業時に、特に電圧の高い変圧器では、作業の安全のために停電させなければならない問題点があった。
【０００５】
本発明の目的は、両フランジを締結する締結具の構成部品を分離しないで換気ファンの取り外しを行える換気ファン付き変圧器を提供することにある。
【０００６】
本発明の他の目的は、停電をさせないで換気ファンの取り付け、取り外しを行える換気ファン付き変圧器を提供することにある。
【課題を解決するための手段】
【０００７】
本発明は、変圧器箱の上部に換気ファンが取り付けられ、前記変圧器箱の上部に対する前記換気ファンの取り付けは、前記変圧器箱の上部に箱側フランジが設けられ、この箱側フランジの上に配置する換気ファンはその下部にファン側フランジが設けられ、前記両フランジが重ねられて複数箇所で締結具で締結されている換気ファン付き変圧器を対象とする。
【０００８】
本発明に係る換気ファン付き変圧器では、前記締結具は前記両フランジを締結していない状態でもその構成部品が組み合わされて一体化されていて、この一体化された前記締結具が前記変圧器箱に連結具で締結位置と非締結位置とに移動可能に支持されていることを特徴とする。  
この場合、前記締結具は、基端が前記変圧器箱に連結具で締結位置と非締結位置とに移動可能に支持されていて締結位置で前記両フランジの外周に開口しているボルト挿入溝に挿入されるボルトと、前記ボルトに螺合されて締結位置で前記両フランジを締結するナットとを備えて構成されて一体化されていることが好ましい。
【０００９】
また前記締結具は、基端が前記変圧器箱に連結具で締結位置と非締結位置とに移動可能に支持されていて締結位置で前記両フランジに嵌るＣ形金具と、前記Ｃ形金具の少なくとも一端に螺合されていて締結位置で前記両フランジを締結するボルトとを備えて一体化されて構成されていることが好ましい。
【００１０】
さらに前記各締結具は、前記変圧器箱に設けられている高圧端子の位置から離した位置に設けられていることが好ましい。
【発明の効果】
【００１１】
本発明に係る換気ファン付き変圧器で、両フランジを締結する締結具が、両フランジを締結していない状態でもその構成部品が組み合わされて一体化されていて、この一体化された締結具が変圧器箱に連結具で締結位置と非締結位置とに移動可能に支持された構造になっているので、締結具の構成部品を分離しないで換気ファンの取り付け、取り外しを行うことができる。このため締結具の構成部品の落下や紛失を防止して換気ファンの取り付け、取り外しを行うことができる。
【００１２】
この場合、締結具が、基端が変圧器箱に連結具で締結位置と非締結位置とに移動可能に支持されていて締結位置で両フランジの外周に開口しているボルト挿入溝に挿入されるボルトと、該ボルトに螺合されて締結位置で両フランジを締結するナットとを備えて一体化されて構成されていると、変圧器箱に連結具で締結位置と非締結位置とに移動可能に支持されているボルトを回して締結位置で両フランジの外周に開口しているボルト挿入溝に挿入し、該ボルトに螺合されているナットを締めることにより、締結具の構成部品を分離しないで換気ファンを変圧器箱の上部に取り付けることができる。また、締結具の構成部品を分離しないで換気ファンの変圧器箱の上部からの取り外しを行うことができる。
【００１３】
また締結具が、基端が変圧器箱に連結具で締結位置と非締結位置とに移動可能に支持されていて締結位置で両フランジに嵌るＣ形金具と、該Ｃ形金具の少なくとも一端に螺合されていて締結位置で両フランジを締結するボルトとを備えて一体化されて構成されていると、変圧器箱に連結具で締結位置と非締結位置とに移動可能に支持されているＣ形金具を回して締結位置で両フランジに嵌め、該Ｃ形金具の少なくとも一端に螺合されているボルトを回すことにより、締結具の構成部品を分離しないで換気ファンを変圧器箱の上部に取り付けることができる。また、締結具の構成部品を分離しないで換気ファンの変圧器箱の上部からの取り外しを行うことができる。
【００１４】
さらに各締結具が、変圧器箱に設けられている高圧端子の位置から離した位置に設けられていると、停電をさせないで換気ファンの取り付け、取り外しを行うことができる。
【発明を実施するための最良の形態】
【００１５】
図１乃至図４は本発明に係る換気ファン付き変圧器を実施する最良の形態の第１例を示したもので、図１は本例の換気ファン付き変圧器の平面図、図２は本例の換気ファン付き変圧器の正面図、図３は本例の換気ファン付き変圧器の側面図、図４は本例で用いている締結具の取り付け状態を示したもので、（Ａ）は連結部側の一部横断平面図、（Ｂ）は縦断側面図、（Ｃ）は正面図である。  
本例の換気ファン付き変圧器は、直方体状の変圧器箱１を備え、その内部には図示しないが本例では３相の変圧器本体が収容されている。変圧器箱１の上面の長辺寄りの位置には、変圧器本体の低圧回路の引き出し部２が外部に突出させて設けられている。また、変圧器箱１の広面の側壁には、変圧器本体の３相の高圧端子３が外部に突出させて設けられている。
【００１６】
変圧器箱１の上部には、図示しない３相の変圧器本体に対応して換気ファン４がそれぞれが取り付けられている。各換気ファン４は、筒状のファンケース５内に位置決めして回転するファン本体６を収容した構造になっている。
【００１７】
変圧器箱１の上部に対する換気ファン４の取り付けは、変圧器箱１の上部の各孔７の周囲に立ち上がり筒部８が設けられ、この筒部８の上端外周に箱側フランジ９が設けられ、この箱側フランジ９の上に配置する換気ファン４はそのファンケース５の下部外周にファン側フランジ１０が設けられ、両フランジ９，１０が重ねられて複数箇所（本例では、３箇所）の締結位置で締結具１１で締結されている。締結具１１は、両フランジ９，１０を締結していない状態でもその構成部品が組み合わされて一体化されていて、この一体化された締結具１１が変圧器箱１に連結具１２で締結位置と非締結位置とに移動可能に支持されている。本例の締結具１１は、基端が変圧器箱１に連結具１２で締結位置と非締結位置とに回転移動可能に支持されていて締結位置で両フランジ９，１０の外周に開口しているボルト挿入溝１３に挿入されるボルト１４と、該ボルト１４に螺合されて締結位置で両フランジ９，１０を締結するナット１５とを備えて一体化されて構成されている。
【００１８】
連結具１２は、ボルト挿入溝１３に対応してその下部の立ち上がり筒部８に水平方向に対向して立設された１対のブラケット１６と、これらブラケット１６に通された支軸としてのボルト１７と、このボルト１７が抜けないように螺合されたナット１８とを備え、１対のブラケット１６の間のボルト１７の部分にボルト１４の基部の環状部１４ａが回転自在に嵌められて締結位置と非締結位置とに移動可能となる構造になっている。
【００１９】
このような各締結具11は、変圧器箱1に設けられている高圧端子3の位置から離した位置に設けられている。
【００２０】
なお、２３は変圧器箱１の下部に設けられている吸気口である。
【００２１】
このように換気ファン４を変圧器箱１の上部にフランジ９，１０の突き合わせ箇所で締結している締結具１１が、両フランジ９，１０を締結していない状態でもボルト１７にナット１８が螺合されることにより構成部品が組み合わされて一体化されていて、この一体化された締結具１１が変圧器箱１に連結具１２で締結位置と非締結位置とに移動可能に支持された構造になっているので、締結具１１の構成部品を分離しないで換気ファン４の取り付け、取り外しを行うことができる。このため締結具１１の構成部品の落下や紛失を防止して換気ファン４の取り付け、取り外しを行うことができる。
【００２２】
この場合、締結具１１が、基端が変圧器箱１に連結具１２で締結位置と非締結位置とに移動可能に支持されていて締結位置で両フランジ９，１０の外周に開口しているボルト挿入溝１３に挿入されるボルト１４と、該ボルト１４に螺合されて締結位置で両フランジ９，１０を締結するナット１５とを備えて構成されて一体化されていると、変圧器箱１に連結具１２で締結位置と非締結位置とに移動可能に支持されているボルト１４を回して締結位置で両フランジ９，１０の外周に開口しているボルト挿入溝１３に挿入し、該ボルト１４に螺合されているナット１５を締めることにより、締結具１１の構成部品を分離しないで換気ファン４を変圧器箱１の上部に取り付けることができる。また、締結具１１の構成部品を分離しないで換気ファン４の変圧器箱１の上部からの取り外しを行うことができる。
【００２３】
さらに各締結具１１が、変圧器箱１に設けられている高圧端子３の位置から離した位置に設けられていると、感電し難いので、停電をさせないで換気ファン４の取り付け、取り外しを行うことができる。
【００２４】
図５は本発明に係る換気ファン付き変圧器を実施する最良の形態の第２例で用いている締結具１１の斜視図である。なお、前述した図１乃至図４と対応する部分には、同一符号を付けて示している。
【００２５】
本例で両フランジ９，１０を締結するために用いている締結具１１は、基端が変圧器箱１に連結具１２で締結位置と非締結位置とに移動可能に支持されていて締結位置で両フランジ９，１０に嵌るＣ形金具１９と、該Ｃ形金具１９の少なくとも一端、本例では両端に螺合されていて両フランジ９，１０を締結するボルト２０とを備えて構成されて一体化されている。各ボルト２０の先端には、両フランジ９，１０を把持する把持板２１が支持されている。各ボルト２０の基端には、これらボルト２０を回す摘み２２が取り付けられている。
【００２６】
このような締結具１１でも、Ｃ形金具１９を締結位置で両フランジ９，１０に嵌めて、摘み２２を回し、ボルト２０を回して先端の把持板２１で両フランジ９，１０を締結することにより、締結具１１の構成部品を分離しないで換気ファン４を変圧器箱１の上部に取り付けることができる。また、締結具１１の構成部品を分離しないで換気ファン４の変圧器箱１の上部からの取り外しを行うことができる。
【００２７】
この例でも各締結具１１は、図１と同様に、変圧器箱１に設けられている高圧端子３の位置から離した位置に設けられている。
【図面の簡単な説明】
【００２８】
【図１】本発明に係る換気ファン付き変圧器を実施する最良の形態の第１例を示した平面図である。
【図２】第１例の換気ファン付き変圧器の正面図である。
【図３】第１例の換気ファン付き変圧器の側面図である。
【図４】第１例で用いている締結具の取り付け状態を示したもので、（Ａ）は連結部側の一部横断平面図、（Ｂ）は縦断側面図、（Ｃ）は正面図である。
【図５】本発明に係る換気ファン付き変圧器を実施する最良の形態の第２例で用いている締結具の斜視図である。
【符号の説明】
【００２９】
１  変圧器箱
２  低圧回路の引き出し部
３  高圧端子
４  換気ファン
５  ファンケース
６  ファン本体
７  孔
８  筒部
９  箱側フランジ
１０  ファン側フランジ
１１  締結具
１２  連結具
１３  ボルト挿入溝
１４  ボルト
１４ａ  環状部
１５  ナット
１６  ブラケット
１７  支軸としてのボルト
１８  ナット
１９  Ｃ形金具
２０  ボルト
２１  把持板
２２  摘み
２３  吸気口
【図１】
2005093534.tif 000003
【図２】
2005093534.tif 000004
【図３】
2005093534.tif 000005
【図４】
2005093534.tif 000006
【図５】
2005093534.tif 000007